(57)【要約】【課題】鍵穴からのピッキング被害を防ぐ。【解決手段】本発明は、鍵装置から開錠データを送信するためのパスワードを入力する入力段階と、入力されたパスワードと予め記憶されているパスワードが等しいか判定するパスワード判定段階と、パスワードが正当と判断された場合に開錠データを送信する送信段階と、錠装置に開錠データを受信する受信段階と、受信した開錠データと予め記憶されている開錠データが等しいか判定する開錠データ判定段階と、受信した開錠データが正当と判断された場合に開錠するための開錠段階とを含む。【選択図】図１
2005320721.tif 000002
【特許請求の範囲】
【請求項１】
鍵装置から開錠データを送信するためのパスワードを入力する入力段階と、
入力されたパスワードと予め記憶されているパスワードが等しいか判定するパスワード判定段階と、
パスワードが正当と判断された場合に開錠データを送信する送信段階と、
錠装置に開錠データを受信する受信段階と、
受信した開錠データと予め記憶されている開錠データが等しいか判定する開錠データ判定段階と、
受信した開錠データが正当と判断された場合に開錠するための開錠段階と
を含む開錠方法。
【請求項２】
開錠データを持たない鍵装置が開錠データを取得するために位置情報を取得する位置情報取得段階と、
開錠データを持たない鍵装置が位置情報を送信する位置情報送信段階と、
開錠データを持つ鍵装置が位置情報を受信する位置情報受信段階と、
受信した位置情報を表示する位置情報表示段階と、
開錠データを持つ鍵装置が開錠データを持たない鍵装置に開錠データを送信する開錠データ送信段階と、
開錠データを持たない鍵装置が開錠データを受信する開錠データ受信段階と、
鍵装置が開錠データを記憶装置に保存する開錠データ保存段階と
を含む請求項１記載の開錠方法。
【請求項３】
錠装置が開錠データを変更する変更段階と、
変更した開錠データを予め記憶された電子メールアドレスに送信する開錠データ更新情報送信段階と
を含む請求項１記載の開錠方法。
【発明の詳細な説明】
【技術分野】
【０００１】
本発明は、無線データ通信を鍵として用いるための開錠方法に関するものである。
【背景技術】
【０００２】
従来の鍵はある程度複雑な形状でも、第三者によってさまざまな手段で開けられてしまい、ピッキング被害が多発している。
【特許文献１】特開２００３−５６２３２号公報
【発明の開示】
【発明が解決しようとする課題】
【０００３】
解決しようとする問題点は、鍵穴があることによって起こるピッキング被害である。
【課題を解決するための手段】
【０００４】
本発明は、鍵装置から開錠データを送信するためのパスワードを入力し、入力されたパスワードと予め記憶されているパスワードが等しいか判定し、パスワードが正当と判断された場合に開錠データを錠装置に送信し、錠装置で受信した開錠データと予め記憶されている開錠データが等しいか判定し、受信した開錠データが正当と判断された場合に開錠するように構成したものである。
【発明の効果】
【０００５】
本発明によれば、鍵穴が不要であることから、開錠がすばやく容易であり、またピッキングなどの被害に遭いにくくなるという利点がある。また、開錠するために鍵装置にパスワードを入力しなければ、錠装置に開錠データを送信できないため、鍵装置を紛失した際の悪用を防ぐことができる。また、鍵がデータであることから遠隔地から開錠データを持っていない人に対して開錠データを渡すことができる。
【発明を実施するための最良の形態】
【０００６】
本発明は、鍵穴からのピッキング被害を防止するという目的を、鍵装置と錠装置の間の無線データ通信によって開錠データを送受信することにより実現した。
【０００７】
上記課題を解決するためになされた第１の発明は、鍵装置から開錠データを送信するためのパスワードを入力する入力段階と、入力されたパスワードと予め記憶されているパスワードが等しいか判定するパスワード判定段階と、パスワードが正当と判断された場合に開錠データを送信する送信段階と、錠装置に開錠データを受信する受信段階と、受信した開錠データと予め記憶されている開錠データが等しいか判定する開錠データ判定段階と、受信した開錠データが正当と判断された場合に開錠するための開錠段階とを含む開錠方法であり、無線によって開錠を可能とすることで、ピッキング被害を軽減することができる。また、開錠するために鍵を差し込む動作を不要にすることができる。また、開錠するために鍵装置にパスワードを入力しなければ、錠装置に開錠データを送信できないため、鍵装置を紛失した際の悪用を防ぐことができる。また、鍵がデータであることから遠隔地から開錠データを持っていない人に対して開錠データを渡すことができる。
【０００８】
第２の発明は、開錠データを持たない鍵装置が開錠データを取得するために位置情報を取得する位置情報取得段階と、開錠データを持たない鍵装置が位置情報を送信する位置情報送信段階と、開錠データを持つ鍵装置が位置情報を受信する位置情報受信段階と、受信した位置情報を表示する位置情報表示段階と、開錠データを持つ鍵装置が開錠データを持たない鍵装置に開錠データを送信する開錠データ送信段階と、開錠データを持たない鍵装
置が開錠データを受信する開錠データ受信段階と、鍵装置が開錠データを記憶装置に保存する開錠データ保存段階とを含む開錠方法であり、遠隔地へ開錠データを送信して渡すことができる。
【０００９】
第３の発明は、錠装置が開錠データを変更する変更段階と、変更した開錠データを予め記憶された電子メールアドレスに送信する開錠データ更新情報送信段階とを含む開錠方法であり、セキュリティ強化のために開錠データを変更すること、およびこの変更したデータを鍵装置に送信することが可能となる。
【００１０】
以下、本発明の実施の形態について、各図に基づいて説明する。
【００１１】
図１は本実施の形態における錠装置の構成を示すブロック図である。
【００１２】
図１において、本実施の形態における錠装置は、各部を制御する制御部２、開錠するために開錠データを受信する開錠データ受信部１、開錠データを記憶しておく開錠データ記憶部３、受信した開錠データと保存してある解錠データを比較する開錠データ判定部４、開錠するために開錠装置６に開錠命令を送信する開錠部５、開錠命令を受けて開錠する開錠装置６、開錠データを変更する時に開錠データを入力するための入力部７、開錠データを変更した時に変更後の開錠データを送信する電子メールアドレスを記憶するメールアドレス記憶部８、電子メールを送信する電子メール送信部９を備える。
【００１３】
図４は図１の錠装置を具体的に示すハードウェア構成図である。
【００１４】
図４において、２８は中央演算装置（ＣＰＵ）、２９はランダムアクセスメモリ（ＲＡＭ）、３０は赤外線やブルートゥース（ＢｌｕｅＴｏｏｔｈ）などの無線インタフェース（ＩＦ）、３１はＲＯＭ、３２は開錠部、３３はキーボードなどの入力装置、３４は電子メール送信装置である。
【００１５】
ここで、図１と図４の構成を比較すると、開錠データ受信部１、制御部２、開錠データ判定部４、開錠部５、入力部７、電子メール送信部９は、ＣＰＵ２８がＲＡＭ２９及びＲＯＭ３１とデータのやり取りを行いながら、ＲＯＭ３１に記憶された各種のプログラムを実行することにより実現される。入力部７は入力装置３３に相当する。開錠データ記憶部３及びメールアドレス記憶部８はＲＯＭ３１により実現される。また、開錠データ受信部１は無線ＩＦ３０により実現され、電子メール送信部９は電子メール送信装置３４により実現される。
【００１６】
本実施の形態における錠装置は、錠の付いたドアに設置される。なお、開錠データ受信部１はドアの外側からのみ受信可能であり、また入力部７はドアの内側からのみ入力可能とする。
【００１７】
図２及び図３に本実施の形態における鍵装置の構成を示すブロック図である。
【００１８】
図２及び図３において、１１及び２０は各部を制御する制御部、１０及び１９は開錠データを送信するためのパスワードを入力する入力部、１２及び２１は開錠データを送信するためのパスワードを記憶するパスワード記憶部、１３及び２２は入力されたパスワードと予め記憶されているパスワードとを比較するパスワード判定部、１４及び２３は開錠データを記憶しておく開錠データ記憶部、１５及び２４は開錠データを送信する開錠データ送信部、１６及び２５は開錠データを取得するために必要である位置情報を取得するための位置情報取得部、１７及び２６は開錠データや位置情報を送受信するための電子メール送受信部、１８及び２７は位置情報などを表示するための出力部である。
【００１９】
図５は図２及び図３の鍵装置を具体的に示すハードウェア構成図である。
【００２０】
図５において、３６は中央演算装置（ＣＰＵ）、３７はランダムアクセスメモリ（ＲＡＭ）、３５はキーボードなどの入力装置、３８はディスプレイなどの出力装置、３９はリードオンリメモリ（ＲＯＭ）、４０は赤外線やブルートゥース（Ｂｌｕｅ  Ｔｏｏｔｈ）などの無線インタフェース（ＩＦ）、４１は位置測位システム（ＧＰＳ）、４２は電子メール送受信装置である。
【００２１】
ここで、図２と図５の構成を比較すると、入力部１０、制御部１１、パスワード判定部１３、開錠データ送信部１５、位置情報取得部１６、電子メール送受信部１７は、ＣＰＵ３６がＲＡＭ３７及びＲＯＭ３９とデータのやり取りを行いながら、ＲＯＭ３９に記憶された各種のプログラムを実行することにより実現される。
【００２２】
本実施の形態における鍵装置は、例えば携帯電話に組み込ませる。
【００２３】
以上の錠装置および鍵装置により構成された開錠装置について、その動作を図６〜図８を用いて説明する。図６は開錠処理のフローチャート、図７および図８は開錠データ転送処理のフローチャート、図９は開錠データ変更処理のフローチャートである。これらのフローチャートは、ＣＰＵ２８がＲＯＭ３１に記憶されたプログラムを実行する様子、及び、ＣＰＵ３６がＲＯＭ３９に記憶されたプログラムを実行する様子を示したものである。
【００２４】
図６に示すように開錠処理は、まず、図２に示す鍵装置によりユーザが入力部１０からパスワードを入力し、制御部１１はパスワード入力完了を受け付けると（Ｓ１）、パスワード記憶部１２からパスワードを読み出し（Ｓ２）、パスワード判定部１３にそれらの２つのパスワードを比較させる（Ｓ３）。不一致の場合、ステップＳ６に移行し出力部１８にパスワードエラーを出力して終了する。一致、すなわちパスワードが正当と判断した場合、ステップＳ５に移行し開錠データ送信部１５より開錠データを送信する。
【００２５】
図１に示す錠装置は、開錠データ受信部１により開錠データを受信し（Ｓ７）、予め記憶されている開錠データと比較する（Ｓ８）。不一致の場合は終了し、一致した場合は開錠部５に対して開錠命令を出す（Ｓ１０）。
【００２６】
このような構成により、開錠するためには鍵装置を持っているだけでなく、そのパスワードを知る人物しか開錠できない。したがって、第三者による悪用を防ぐことができる。
【００２７】
図７および図８において、開錠データ受信側は図２の鍵１に、開錠データ送信側は図３の鍵２に対応している。
【００２８】
開錠データ転送処理では、まず、開錠データ受信側端末（鍵１）は、位置情報取得部１６により位置情報を取得する（Ｓ１１）。そして、電子メール送受信部１７により、位置情報を添付した電子メールを送信する（Ｓ１２）。
【００２９】
一方、開錠データ送信側端末（鍵２）にて、電子メール送受信部２６より受信した位置データを出力部２７より表示し、ユーザに確認させる。入力部１９によりユーザから開錠データ送信の許可が入力されると（Ｓ１５）、ユーザに入力部１９からパスワードを入力させる。許可がなければ、電子メール送受信部２６により開錠データ送信拒否を返信する。
【００３０】
制御部２０はパスワード入力完了を受け付けると（Ｓ１６）、パスワード記憶部２１か
らパスワードを読み出し（Ｓ１７）、パスワード判定部２２にそれらの２つのパスワードを比較させる（Ｓ１８，１９）。不一致の場合、ステップＳ１６に戻りパスワードの再入力を促す。一致した場合、電子メール送受信部２６より開錠データを添付した電子メールを返信する（Ｓ２０，２１）。
【００３１】
開錠データ受信側端末（鍵１）にて、電子メール送受信部１７より開錠データを受信する（Ｓ２２）。受信した開錠データがあれば（Ｓ２３）、開錠データ記憶部１４に保存する（Ｓ２４、Ｓ２５）。
【００３２】
このような構成により、開錠データを持っている人から持っていない人に遠隔地から送信できる。このとき、開錠データ受信側の位置情報とメール内容により本人の確認ができ、開錠データ送信側では転送するためにパスワードの入力が必要であることから、第三者による悪用を防ぐことが出来る。
【００３３】
図９に示すように、開錠データ変更処理は、Ｓ２６にて錠側で入力部７により入力された値によって開錠データ変更し、開錠データ記憶部３に書き込む（Ｓ２７）。メールアドレス記憶部８からメールアドレスを読み出し（Ｓ２８）、電子メール送信部９より新しい開錠データを添付した電子メールを読み出したアドレス宛てに送信する（Ｓ２９）。
【００３４】
鍵側にて電子メール送受信部１７から開錠データを受信したら（Ｓ３０）、ユーザからの保存要求を待つ（Ｓ３１）。入力部１０より保存要求があれば開錠データ記憶部１４に保存してある開錠データを、受信した開錠データで上書きし（Ｓ３２）、終了する。保存要求がなければ、そのまま終了する。
【００３５】
このような構成により、錠側で設定された開錠データが鍵側に自動で送信され、新しい開錠データの伝達漏れを防ぐ事が出来る。
【産業上の利用可能性】
【００３６】
本発明は、無線データを鍵として用いた開錠方法として有用である。特に、鍵装置を携帯電話に備えると、電子メール送受信機能も備えているため実現しやすく、携帯にも便利である。
【図面の簡単な説明】
【００３７】
【図１】本実施の形態における錠装置の構成を示すブロック図
【図２】本実施の形態における鍵装置の構成を示すブロック図
【図３】本実施の形態における鍵装置の構成を示すブロック図
【図４】図１の錠装置を具体的に示すハードウェア構成図
【図５】図２及び図３の鍵装置を具体的に示すハードウェア構成図
【図６】開錠処理のフローチャート
【図７】開錠データ転送処理のフローチャート
【図８】開錠データ転送処理のフローチャート
【図９】開錠データ変更処理のフローチャート
【符号の説明】
【００３８】
１    開錠データ受信部
２    制御部
３    開錠データ記憶部
４    開錠データ判定部
５    開錠部
６    開錠装置
７    入力部
８    メールアドレス記憶部
９    電子メール送信部
１０    入力部
１１    制御部
１２    パスワード記憶部
１３    パスワード判定部
１４    開錠データ記憶部
１５    開錠データ送信部
１６    位置情報取得部
１７    電子メール送受信部
１８    出力部
１９    入力部
２０    制御部
２１    パスワード記憶部
２２    パスワード判定部
２３    開錠データ記憶部
２４    開錠データ送信部
２５    位置情報取得部
２６    電子メール送受信部
２７    出力部
２８    ＣＰＵ
２９    ＲＡＭ
３０    無線ＩＦ
３１    ＲＯＭ
３２    開錠部
３３    入力装置
３４    電子メール送信装置
３５    入力装置
３６    ＣＰＵ
３７    ＲＡＭ
３８    出力装置
３９    ＲＯＭ
４０    無線ＩＦ
４１    ＧＰＳ
４２    電子メール送受信装置
【図１】
2005320721.tif 000003
【図２】
2005320721.tif 000004
【図３】
2005320721.tif 000005
【図４】
2005320721.tif 000006
【図５】
2005320721.tif 000007
【図６】
2005320721.tif 000008
【図７】
2005320721.tif 000009
【図８】
2005320721.tif 000010
【図９】
2005320721.tif 000011